(57)【特許請求の範囲】
【請求項１】
蒸解缶でセルロースパルプを製造するのに用いられるスクリーンであって、
前記スクリーンが、フレームと該フレームに固定された金属製スクリーン板とを備え、
前記スクリーン板は、複数のスロット領域を有し、各スロット領域には複数のスロットが形成されており、
前記スクリーン板が、前記スロットが水平または垂直に対して3０〜６０度の傾斜角αを有するように、前記蒸解缶内に配置され、
その際、複数の陸領域が前記スクリーン板のスロット領域とスロット領域との間に設けられており、
前記スクリーン板が、前記蒸解缶の内側に面して前記蒸解缶の細砕セルロース繊維材スラリーと接触する内面と、外面とを有し、前記スクリーン板を支持して撓みを抑えるように前記外面と接触する手段を更に備え、
前記外面と接触する手段が、前記スクリーン板の外面に接続され、前記スクリーン板の外側に延びるように配置された複数の金属製支持ピンであることを特徴とするスクリーン。
【請求項２】
前記スロットが、前記スクリーン板に機械加工されて開けられ、その際、前記スクリーン板上のスロットが前記傾斜角αを有することを特徴とする請求項１記載のスクリーン。
【請求項３】
前記フレームが、前記蒸解缶の一部であり、その際、前記スクリーン板が前記フレームに旋回自在に接続され、前記スクリーン板が前記フレームから旋回させて内側に引けるようにされることを特徴とする請求項１記載のスクリーン。
【請求項４】
前記スクリーン板が、第一と第二の側辺を備え、前記スクリーン板の前記第一側辺の個所の垂直の軸に沿って前記フレームに旋回自在に接続されていることを特徴とする請求項３記載のスクリーン。
【請求項５】
一つの陸領域に結合されている支持ピンが、隣の陸領域に結合されている支持ピンと互いに位置をずらせて配置され、前記スクリーン板に溶接されることを特徴とする請求項１記載のスクリーン。
【請求項６】
異なった陸領域にある支持ピンが、水平または垂直に対してδの角度を成す仮想直線上に配置されることを特徴とする請求項５記載のスクリーン。
【請求項７】
前記陸領域の一部が、水平方向に延び、前記陸領域の一部が、垂直方向に延びることを特徴とする請求項１記載のスクリーン。
【請求項８】
前記スクリーン板が、前記蒸解缶の内側に面して前記蒸解缶の細砕セルロース繊維材スラリーと接触する内面と、外面とを有し、その際、前記スクリーン板が、曲面で構成され、垂直軸の周りに前記外面が凸面となり、前記内面が凹面となっていることを特徴とする請求項１記載のスクリーン。
【請求項９】
前記蒸解缶が、前記スクリーンの個所において半径を有し、前記内外面が、前記蒸解缶のそれにほぼ等しい曲率半径を有することを特徴とする請求項８記載のスクリーン。
【請求項１０】
前記スロットの幅が２〜１３ｍｍで、その際、前記金属製のスクリーン板が１／４〜３／８インチ（６〜９ｍｍ）の厚さであることを特徴とする請求項１記載のスクリーン。
【請求項１１】
前記スクリーン板が、前記蒸解缶の内側に面して前記蒸解缶の細砕セルロース繊維材スラリーと接触する内面と、外面とを有し、その際、前記スロットが、前記外面の個所において１０〜６０度の角度βで外側にテーパ状となっていることを特徴とする請求項１０記載のスクリーン。
【請求項１２】
前記スクリーン板の外面に接続され、前記スクリーン板の外側に延びるように配置された複数の支持ピンを更に備え、その際、前記スロットが、前記外面の個所において１０〜６０度の角度βで外側にテーパ状となっていることを特徴とする請求項８記載のスクリーン。
【請求項１３】
前記陸領域が、水平方向に延びることを特徴とする請求項８記載のスクリーン。
【請求項１４】
前記陸領域が、垂直方向に延びることを特徴とする請求項８記載のスクリーン。
【請求項１５】
前記陸領域が、斜め方向に延びることを特徴とする請求項８記載のスクリーン。
【請求項１６】
前記スクリーン板が、前記蒸解缶の内側に面して前記蒸解缶の細砕セルロース繊維材スラリーと接触する内面と、外面とを有し、その際、前記スロットが、前記外面の個所において２０〜４０度の角度βで外側にテーパ状となっていることを特徴とする請求項１記載のスクリーン。
【請求項１７】
スクリーン板であって、
平行な頂辺と底辺と、平行な第一と第二側辺であって前記頂辺と底辺に垂直な第一と第二側辺とを有する四角形の金属板と、
前記金属板に設けられた複数のスロット領域であって、各スロット領域において幅が２〜１３ｍｍである各スロットが、前記辺の一つに対する傾斜角αが３０〜６０度となるように複数配置されている、複数のスロット領域と、
前記金属板の前記スロット領域の間に設けられた複数の陸領域と、
から構成されており、
前記スクリーン板が、内面と外面とを有し、その際、前記スクリーン板が、曲面で構成され、前記側辺に平行な軸の周りに前記外面が凸面となり、前記内面が凹面となっており、
前記スクリーン板の外面に溶接され、前記スクリーン板の外側に延びるように配置された複数の金属製支持ピンを更に備えることを特徴とするスクリーン板。
【請求項１８】
前記曲面のスクリーン板が、２０〜６０度のアーチ形となっていることを特徴とする請求項１７記載のスクリーン板。
【請求項１９】
前記スロットが、前記外面の個所において２０〜４０度の角度βで外側にテーパ状となっていることを特徴とする請求項１７記載のスクリーン板。
【請求項２０】
前記陸領域の一部が、水平方向に延び、前記陸領域の一部が、垂直方向に延びることを特徴とする請求項１７記載のスクリーン板。
【請求項２１】
前記陸領域が、水平方向に延びることを特徴とする請求項１７記載のスクリーン板。
【請求項２２】
前記陸領域が、垂直方向に延びることを特徴とする請求項１７記載のスクリーン板。
【請求項２３】
前記陸領域が、斜め方向に延びることを特徴とする請求項１７記載のスクリーン板。
【請求項２４】
前記四角形の金属板が、１／８〜１／２インチ（３〜１２ｍｍ）の厚さであることを特徴とする請求項１７記載のスクリーン板。
【請求項２５】
前記四角形の金属板が、１／４〜３／８インチ（６〜９ｍｍ）の厚さであり、前記スロットの幅が３〜９ｍｍであることを特徴とする請求項１７記載のスクリーン板。
【請求項２６】
前記スクリーン上のスロットが、前記スクリーン板の同じ辺に対して同じ角度αで配置されていることを特徴とする請求項１７記載のスクリーン板。
【請求項２７】
前記スクリーン上のスロットが、同じ角度αで配置されているか、又はあるものは前記頂辺または底辺に対して同じ角度であり、またあるものは側辺に対して同じ角度であることを特徴とする請求項１７記載のスクリーン板。
【発明の詳細な説明】
【０００１】
【発明の属する技術分野】
本発明は、一般にセルロース繊維材を処理する蒸解缶に関し、特に蒸解缶用スクリーンアセンブリに用いる閉塞を防止する効果のあるスクリーン板に関する。
【０００２】
【従来の技術】
化学セルロースパルプ（例えば、クラフトパルプ）の製造に用いられる従来の連続または回分式蒸解缶、特に連続蒸解缶に用いられるスクリーン板は、長年にわたって運転停止の主な原因であり、時には製造されたパルプに突然に不均一性をもたらす元凶であった。特定のスクリーン設計について多岐にわたる試みが行われ、液を分離するスクリーンを各種変えて用いることも行われたが（特に連続蒸解缶の抽出段階だが、蒸煮や洗浄段階でも）、スクリーンは依然として問題の種であった。
【０００３】
【発明が解決しようとする課題】
公開国際特許第９６／２６３１５号公報（参考文献として本明細書に引用する）にスクリーン板設計に関する優れた進歩が発表された。この設計では、複数のバーまたは板に機械加工で開けられた開口を用いて、水平に対して傾斜角約３０〜６０度（好ましくは４５度）で配置されたスロットを持つものを蒸解缶に用いるのである。本発明は、国際特許第９６／２６３１５号公報に開示のスクリーン設計を改良するものであり、閉塞問題を最小限に抑えながら、スクリーンの機能を更に向上させ、製作を容易にするものである。
【０００４】
【課題を解決するための手段】
本発明の形態の一つに従えば、蒸解缶（例えば、連続または回分式蒸解缶、特に連続蒸解缶）でセルロースパルプを製造するのに用いられるスクリーンが提供される。このスクリーンは、フレームと、フレームに固定された金属製スクリーン板を備え、スクリーン板には複数のスロットが形成される。スクリーン板は、前記スロットが水平または垂直に対して約３０〜６０度の傾斜角αを持つように蒸解缶内に配置される。この際、複数の（実質的に水平、垂直、および／または斜めに延びる）陸領域がスクリーン板のスロット領域とスロット領域の間に設けられる。スロットは、好ましくはスクリーン板に機械加工されて開けられる。スクリーン板は、蒸解缶の内側に面して蒸解缶の細砕セルロース繊維材スラリーと接触する内面と、外面とを有し、撓みを最小限に抑える手段も更に備えることが好ましい。この手段は、複数の金属製支持ピンをスクリーン板の外面に接続し、スクリーン板の外側に延びるように配置したものであることが好ましい。これら支持ピンの断面はどんな構造でもよく（例えば、円形、四角形、三角形など）、普通、外側に延びて蒸解缶の外胴に接し、支持機能を果たすようになっており、スクリーン板に溶接されているのが好ましい。連続する陸領域に接続されている金属製支持ピンは、互いにオフセットして配置されるのが好ましい。その結果、異なった陸領域では、ピンは仮想直線上に配置され、水平または垂直に対して約αの角度をなすようになっている。好ましい態様では、角度αは約４５度である。
【０００５】
好ましくは、フレームは、蒸解缶の一部とし、蒸解缶外胴に接続し、スクリーン板は、フレームに旋回自在に結合し、スクリーン板をフレームから旋回させて内側に引けるようにする。普通。スクリーン板は、第一側辺と第二側辺とを有し、スクリーン板の第一側辺の個所で実質的に垂直な軸に沿ってフレームに旋回自在に結合する。
【０００６】
好ましい態様では、スクリーン板上に形成されるスロットは、外面の外側に向かって（例えば、内面から外面へ、またはスクリーン板内のある点から外面へ）テーパ状となっている。テーパ角度βは、約１０〜６０度、好ましくは約２０〜４０度、最も好ましくは約３０度である。蒸解缶は、スクリーンの個所において半径を有し、内外面は、蒸解缶のそれにほぼ等しい曲率半径を有する（蒸解缶外胴の半径よりは少し小さい）。
【０００７】
特定のスクリーン板上のスロットの実質的に全部が、同じ傾斜角αを有することが好ましい。しかし、これは、スクリーン板の頂辺または底辺に対してでなく、側辺に対して等しい傾斜角でも差し支えない。別法としては、特定のスクリーン板上のスロットのある部分（普通は１／３以下）については、傾斜角αでなく、実質的に垂直または水平に配置しても差し支えない。
【０００８】
本発明の別の形態の一つに従えば、スクリーン板自体が提供される。このスクリーン板は、実質的に平行な頂辺と底辺と、実質的に平行な第一と第二側辺（頂辺と底辺とに実質的に垂直）とを有する実質的に四角形（正方形または長方形）の金属板と、この金属板に開けられた複数のスロットとから構成される。前記スロットは、一辺に対する傾斜角αとして約３０〜６０度となるように配置され、幅は約２〜１３ｍｍ、好ましくは約３〜９ｍｍである。また、複数の陸領域が前記金属板のスロット領域とスロット領域の間に設けられる。スクリーン板は、好ましくは曲面で形成され、アーチ角は約２０〜６０度である。スクリーン板自体の詳細は、好ましくは以上に記載した通りである。
【０００９】
本発明の主目的は、化学セルロースパルプの製造用の蒸解缶に用いられる優れたスクリーン構造を提供することである。本発明のこの目的および他の目的は、本発明の詳細な説明をよく吟味し、前記の特許請求の範囲をよく読めば明白となろう。
【００１０】
【発明の実施の形態】
図１は、蒸解缶、特に連続蒸解缶の抽出部に用いられるスクリーンアセンブリ中の複数のスクリーン板を蒸解缶の内部から見た状態を概略的に示す。スクリーンアセンブリ全体は参照番号１０で略示され、蒸解缶、特にその外胴は図１と６では１１の個所に示される。蒸解缶１１は、従来の蒸解缶であり、普通は直立で、断面が円形で、細砕セルロース繊維材（例えば、木材チップ）を導入する入口を頂部に、製造された化学セルロースパルプ（例えば、クラフトまたはサルファイトパルプ）を排出する出口を底部に備える。蒸解缶は、普通、抽出と蒸解と洗浄ゾーンを備え、スクリーンアセンブリ、例えば、スクリーンアセンブリ１０が、普通、これらのゾーン各々に備えられる。本発明のスクリーンアセンブリ１０は、連続蒸解缶の頂部近くの抽出スクリーンに特に適用可能であるが、蒸解缶によっては蒸解または洗浄ゾーンにも適用可能である。
【００１１】
スクリーンアセンブリ１０は、フレーム１２と金属製スクリーン板１３とから各々構成される複数個のスクリーンを備えている。図１に示される態様のフレーム１２は、金属バーや鉄製アングルなどの構造部品から構成され、これらの部品は、この場合、蒸解缶１１の外胴に直結されている。これに対し、国際特許第９６／２６３１５号公報に開示のフレーム１２は、蒸解缶１１とは明確に異なって、蒸解缶に取り外し可能に接続されている。
【００１２】
本発明の金属製スクリーン板１３は、図１と図７には１４の個所に概略にしか示されていないけれども、複数のスロット領域と、これらスロット領域グループの間に略水平に延びる陸領域１５とを備える。スロット領域１４にある多数のスロット１７自体は、普通、国際特許第９６／２６３１５号（参考文献として本明細書に引用）に開示の構造を有しており、前記スロットの配置は、水平または垂直に対して約３０〜６０度（例えば、約４５度）の角度αを成し、国際特許第９６／２６３１５号公報に開示された間隔を有している（図２および図３参照）。しかし、国際特許第９６／２６３１５号公報とは異なって、本発明では、スロット領域１４とスロット領域１４の間に陸領域１５が遮るように設けられる。
【００１３】
図２と図３に示されるように、略示されているスロット領域１４には機械加工された各個スロット１７各々が、水平または垂直に対して角度α、すなわち、３０〜６０度、図２と図３に示されるように好ましくは約４５度を成して配置されている。スロット１７各々は、隣接スロットから水平距離１８、すなわち、約０．７５〜１．５インチ（約１９〜３８ｍｍ）、例えば、約１インチ（約２５ｍｍ）の間隔を開けて配置されている（図２参照）。スロット領域１４各々は、垂直幅１９、すなわち、スロット１７とスロット１７の間の間隔１８の約１．５〜３倍を開けて配置されている。例えば、垂直幅１９は図２に示される態様では約２インチ（約５０ｍｍ）である。陸領域１５の垂直幅２０は、好ましくは、スロット垂直幅１９に略等しく、例えば、図２に示される態様では約２インチ（約５０ｍｍ）である。好ましくは、スロット領域１４各々の垂直幅１９と陸領域１５の垂直幅２０とは、何処のスクリーン板１３でも実質的に同じである。もっとも、状況によって変えることは差し支えない。また、好ましくは、角度αは、スロット領域１４から次の領域に至るまでスロット１７全部に対して同一である。しかし、この場合も、領域によって変えることも差し支えない。また、所与のスクリーン板１３内ではスロット１７全部が同じ方向に配列されているのが好ましいが、一つのスクリーン板１３から垂直方向に次のスクリーン板が配置されている場合、次のスクリーン板のスロット１７は、反対方向に配列されていても差し支えない（すなわち、スクリーン板１３の一つのスロット１７が頂辺から底辺に左から右へ、他のスクリーン板のスロットが頂辺から底辺に右から左へと斜め配列になっていてもよい）。
【００１４】
図２〜図５に示されているように、スロット１７は、液が入る個所から液が出る個所へと外側にフレア状に広がるようにできる。すなわち、各スクリーン板１３は、内面、すなわち図２で見える面２１と、外面、すなわち図３で見える面２２とを有する。スラリー液中の細砕セルロース繊維材は面２１に接し、液は、例えば、外面２２に隣接の容積部の液を引くように取り付けられた従来のポンプ機器で、外面２２から抜かれる。図４に見られるように、また、図５に更に明快に見られるように、スロット１７各々を規定する側壁２３は、外面２２の個所で互いの側面に対して角度βを成している（図５参照）。内面２１の個所でのスロット１７各々の幅２４（図５参照）は好ましくは約２〜１３ｍｍで、より好ましくは約３〜９ｍｍである。角度βは、好ましくは約２０〜４０度、例えば、約３０度である。スクリーン板１３の厚さ（図５で面２１と２２との間の距離）は、約１／８〜１／２インチ（約３〜１２ｍｍ）、好ましくは約１／４〜３／８インチ（約６〜９ｍｍ）である。
【００１５】
図６の上面図に見られるように、スクリーン板１３各々は、好ましくは、曲面で構成され、内面２１が凹面で、外面２２が凸面となっている。スクリーン板１３の曲率半径は、蒸解缶１１の直径に左右されるが、普通は、スクリーン板１３の凹面、凸面２１，２２の曲率半径は、蒸解缶１１が例えば５〜２０フィート（１．５〜６ｍ）、普通、７〜１５フィート（２〜４．５ｍ）の場合蒸解缶外胴の曲率半径に略同じである。スクリーン板１３は各々角度γのアーチ形で形成されているが、このアーチ形は勿論、蒸解缶１１の半径、特定の個所に望ましいスクリーン板１３の枚数などに依存する。しかし、角度γは、図６に示される特定の態様では約２０〜６０度、例えば、約３０度が望ましい。
【００１６】
各スクリーン板１３を効果的に支持するには、図３，図４，図６で参照数字２５と総称される実線で示される複数の支持ピンを設けるのが好ましい。支持ピン２５は、好ましくは金属製、例えば、スチール製で、陸領域１５の個所で各スクリーン板１３の外表面２２に結合されている（例えば、図３，図４に見られるように・・・溶接２６で）。この支持ピン２５は、図１と図７では点線で示されている。支持ピン２５は、所望の断面ならばどんな断面でもよく、例えば、円形、四角形（例えば、正方形または長方形）、三角形等でよく、長さは、最大で、スクリーン板１３と蒸解缶１１の胴との間の円環の幅で、例えば普通は約６〜１２インチ（約１５０〜３００ｍｍ）である。ピン２５の水平中心間距離は、普通、約４〜５インチ（約１００〜１２５ｍｍ）（例えば、約４．５インチ（約１１３ｍｍ））である。支持ピン２５は、スクリーン板１３が閉位置に旋回した時蒸解缶１１の内面に接触する（図６参照）。
【００１７】
ピン２５は、・・・図１と図７で分かるように・・・隣りに連続する陸領域１５で互いにオフセットして、すなわち位置をずらせて配列される。例えば、図７に示されるように、ある陸領域１５の支持ピン各々は、隣の陸領域の二本の支持ピン２５の間の真ん中に相当する位置に配されている。すなわち、異なる陸領域１５の支持ピン２５が水平または垂直に対してδの角度を成している仮想直線５０（図７を参照）上に配列されており、角度δが４５度であることを意味する。
【００１８】
ピン２５の機能は・・・スクリーン板１３を撓まないように支持することであるが・・・この機能は他の手段によっても与えることができる。例えば、スクリーン板の厚さを大きく（例えば、１／２インチ（約１２ｍｍ）以上）することもでき、液の流れを顕著に邪魔しない限り、水平、垂直、または斜めの支持バーを外面２２に取り付けることもできる。
【００１９】
本発明のスクリーンアセンブリ１０の作業性を向上させる望ましい機能の別の一つは、スクリーン板１３を旋回自在に取り付け、実質的に垂直の軸の周りに旋回運動を行わせることである。すなわち、スクリーン板１３は、頂辺３１、底辺３２、第一側辺３３（図７の右側）および第二側辺３４（図７の左側）を有するが、スクリーン板１３は第一側辺３３の近くの軸３０の周りを旋回するようにされる。蝶番部品３５，３６が、スクリーン板１３とフレーム１２に交互に取り付けられる。蝶番部品３５，３６各々は、内部が中空になっており、その中に蝶番ピン３７が入っている（図８参照）。通常運転の際には、スクリーン板１３をフレーム１２にボルトまたはタック溶接で（図示せず）固定するのが好ましい。しかし、装置のメンテナンス作業が望ましい場合は、ボルトを外す及び／又はタック溶接を壊すことにより、スクリーン板１３を軸３０の周りに旋回することができる。
スクリーン板１３の頂辺３１、底辺３２は使用状態では実質的に水平なので、スロット１７はこれらの辺に対して角度αを成す。
【００２０】
図９〜図１５には、本発明のスクリーン板の他の例として、陸領域とスロットとが異なる構造のものが概略示される。図９では、図７のものに対応する構成部品が、同じ参照数字の頭に「１」を付けて示される。図１０と図１４では、図７のものに対応する構成部品が、同じ参照数字の頭に「２」を付けて示される。図１１では、図７のものに対応する構成部品が、同じ参照数字の頭に「３」を付けて示される。図１２では、図７のものに対応する構成部品が、同じ参照数字の頭に「４」を付けて示される。図１３と図１５では、図７のものに対応する構成部品が、同じ参照数字の頭に「５」を付けて示される。図１６では、図５のものに対応する構成部品が、同じ参照数字の頭に「２」を付けて示される。
【００２１】
図９と図１０は、陸領域１１５、２１５それぞれが、傾斜スロット領域１１４，２１４，２１４Ａを備えるスクリーン板１１３，２１３上にどのように実質的に垂直に延びられるかについての二例を示す。図９は、傾斜スロット１１４が右上から左下に４５度の角度で配列されているのを示す。もっとも、スロット１１４を左上から右下に傾斜させることも可能である。図１０は、スロット領域２１４，２１４Ａを有する一枚のスクリーン内でスロット配列を、どのように変えて、「矢はず模様」を作り、例えば、角度ααが実質的に９０度となるようにできるかを示す。
【００２２】
図１１は、陸領域３１５をどうすれば斜行配置、すなわち、水平や垂直方向でない方向に配列できるかを示す。図１１では、陸領域３１５は約４５度角度で配列され、スロット領域３１４は左上から右下に４５度角度で配列されている。所望ならば、これらの角度双方を、９０度または他の角度だけ回転することもできる。すなわち、本発明に従えば、スロット領域３１４の配列角度および／またはスロット間の陸領域３１５の配列角度は、垂直から５〜８５度の範囲、好ましくは垂直から３０〜６０度の範囲で変えることができる。
【００２３】
図１２〜図１４は、スクリーン板４１３，５１３，２１３’上に設けられたスロット領域４１４，４１４Ａ，４１４Ｂ，５１４，５１４Ａ，５１４Ｂ，５１４Ｃ，２１４，２１４Ａがどのように形成されて、より複雑なスロットパターンが得られるかを示す。図１２には、異なるスロット配列を有する三列のスロット領域４１４，４１４Ａ，４１４Ｂがある。一番上の列、４１４は、右上から左下へ４５度の角度で配列されたスロットの間に実質的に垂直の陸領域４１５を備える。真ん中の列、４１４Ｂは、長い実質的に垂直のスロットまたは短い実質的に垂直のスロットを備える。一番下の列、４１４Ａでは、スロットはまた一番上の列と同様に角度αで配列されているが、今度は、一番上の列の配列から９０度回転された角度で配列されている。三列のスロット領域４１４，４１４Ａ，４１４Ｂの順序は、所望のどんな順序にでも変えることができる。例えば、上の二つの列のスロットをある角度をもって配列し、一番下の列を実質的に水平または垂直のスロットで構成して差し支えない。
【００２４】
図１３も、三列のスロット領域５１４と、５１４Ａと，５１４Ｂおよび５１４Ｃとを有するスクリーン板５１３を示す。一番上の列のスロット領域５１４には、垂直陸領域５１５で分けられた垂直スロット領域がある。一番上の列の各スロット部は、右上から左下に４５度の角度で配列されたスロットを有する。真ん中の列のスロット５１４Ｂおよび５１４Ｃは、列の間に水平陸領域５１５Ａを有するスロット列である。これらのスロット部のスロットも、４５度角度で配列されているが、スロット配列は、スロット領域の隣接する行の５１４Ｂと５１４Ｃではスロット配列が９０度だけ変化している。例えば、最も左側の行の５１４Ｃは、左上から右下へ配列された４５度スロットを有している。最も左側の行のスロットの右側にある行の５１４Ｂは、４５度角度であるが右上から左下へ配列されたスロットを有する。第二列の次の二行は、前の第一の二行を繰り返している。スロットの角度αとスロットの列と行との数は変化させることができる。図１３の一番下の列のスロット領域５１４Ａも、図示の一番上の列のように垂直の陸領域５１５を有しているが、スロットの角度αは、第一列に示されるスロットから９０度回転されている。また、一番上と一番下の列のスロットの配列角度も、図示の配列と同じでも、あるいは９０度回転しても差し支えない。また、スロットの上、中、下の段の列の配列も変えることができる。
【００２５】
図１４と図１５は、本発明の更に別のスロット配列を有するスクリーン板２１３’、５１３’を示す。これらは、それぞれ図１０と図１３のものの一部変更であり、図９〜図１３と同じ符号を用いて自明である。
従って、本発明・・・水平または垂直方向とは異なる方向に配列されたスロットを有する蒸解缶スクリーン板１３，２１３，３１３など・・・をどんな形にしろ採用する広範囲のスロット構成を考えることができる。
【００２６】
図９〜図１５に示される各態様で、スロット領域の配列の如何に拘わらず、スロット領域（例えば、１１４，２１４Ａ，３１４など）内のスロット１７は、辺１３１〜１３４，２３１〜２３４，３３１〜３３４などの一つに対して約３０〜６０度（好ましくは約４５度）の角度αを成す。角度αを成している特定の辺は変わっても差し支えない（例えば、図１３のスロット領域５１４，５１４Ａに対しては頂辺または底辺５３１，５３２、そして図１３のスロット領域５１４Ｂ，５１４Ｃに対しては側辺５３３，５３４の一つ、など）。これに対する唯一の例外は、図１２のスロット４１４Ｂであるが、これらは実質的に垂直か、実質的に水平である。
【００２７】
図１６は、図５のスロット１７の特定の性質の一部変更点を示し、一部変更されたスロットが図１６の２１７の個所に示されている。傾斜している壁２２３は、角度β（１０〜６０度、好ましくは２０〜４０度、例えば、約３０度）を成すが、外面２２２が角度βを成す個所は、表面２２１から距離４１離れた所からその傾斜性質を示し始めるので、表面２２１に直近のスロット２１７は、図１６に４０と示されているように、実質的に平行な側壁を有する。図１６のスクリーン板２１３の厚さ４２は、図５のスクリーン板１３の厚さと同じで、好ましくは約１／８〜１／２インチ（約３〜１２ｍｍ）、最も好ましくは１／４〜３／８インチ（約６〜９ｍｍ）である。
【００２８】
本発明のスクリーンアセンブリ１０、およびスクリーン板１３，１１３，２１３，３１３などは、回分または連続式蒸解缶、特に連続式蒸解缶において従来のスクリーンに比較して向上した運転性を有する。これらは、閉塞に強く、国際特許第９６／２６３１５号公報に関連する他の利点を有し、更に国際特許第９６／２６３１５号公報記載のスクリーンに比較して、向上した強度、向上した作業性、設置の容易性、製造の容易性を提供する。
【００２９】
本発明については、最も実際的かつ好ましい実施の形態であると現在考えられたものについて本明細書に図示し、記載したものであるので、本発明の特許請求の範囲内で多くの部分的修正が可能であることは当業者には明らかであろう。従って、本発明の特許請求の範囲は、等価な構造やデバイスを全て含むように最も広く解釈されるべきである。
【図面の簡単な説明】
【図１】  連続蒸解缶内部に収められたスクリーンアセンブリの本発明の複数のスクリーン板の前面図である。
【図２】  図１のアセンブリのスクリーン板の一つの内面詳細図で、スクリーン板に設けられた特定の機械加工されたスロットを、スロットとスロットとの間にある陸領域と一緒に示す図である。
【図３】  図１と同様な図であるが、スクリーン板の外面を示す図である。
【図４】  図２と図３のスクリーン板の縦断面図で、図２と図３が切り取られた所を矢印２−２と３−３とで示す図である。
【図５】  図２〜図４のスクリーン板の、より詳細な断面図で、図３のライン５−５に沿って切り取られたもので、スクリーン板のスロットの特徴を示す図である。
【図６】  図１のスクリーン板の一つの上面図で、スクリーン板に関連して設けることが好ましい蝶番と支持ピンを明快に示す図である。
【図７】  図６のスクリーン板の前面図である。
【図８】  図６と図７のスクリーン板に用いられる蝶番ピンの側面図である。
【図９】  図６と大略同様な概略図であるが、本発明のスクリーン板の異なる例示的構造を、特にスロットと陸領域の位置と配列について示す図である。
【図１０】  図６と大略同様な概略図であるが、本発明のスクリーン板の異なる例示的構造を、特にスロットと陸領域の位置と配列について示す図である。
【図１１】  図６と大略同様な概略図であるが、本発明のスクリーン板の異なる例示的構造を、特にスロットと陸領域の位置と配列について示す図である。
【図１２】  図６と大略同様な概略図であるが、本発明のスクリーン板の異なる例示的構造を、特にスロットと陸領域の位置と配列について示す図である。
【図１３】  図６と大略同様な概略図であるが、本発明のスクリーン板の異なる例示的構造を、特にスロットと陸領域の位置と配列について示す図である。
【図１４】  図６と大略同様な概略図であるが、本発明のスクリーン板の異なる例示的構造を、特にスロットと陸領域の位置と配列について示す図である。
【図１５】  図６と大略同様な概略図であるが、本発明のスクリーン板の異なる例示的構造を、特にスロットと陸領域の位置と配列について示す図である。
【図１６】  図５と同様な図であるが、スロットの特定の性質を修正したものを示す図である。
【符号の説明】
１０…スクリーンアセンブリ、１１…蒸解缶、１２…フレーム、１３，１１３，２１３，２１３’，３１３，４１３，５１３…スクリーン板、１４，１１４，２１４，２１４Ａ，３１４，４１４，４１４Ａ，４１４Ｂ，５１４，５１４Ａ，５１４Ｂ，５１４Ｃ，５１４Ｄ…スロット領域、１５，１１５，２１５，２１５Ａ，３１５，４１５，５１５，５１５Ａ，５１５Ｂ，５１５Ｃ，５１５Ｄ…陸領域、１７，２１７…スロット、１８…スロット間隔、１９…スロット領域幅、２０…陸領域幅、２１，２２１…内面、２２，２２２…外面、２３，２２３…側壁、２４…スロット内面幅、２５…支持ピン、２６…溶接部、２８、５０…仮想直線、３０…旋回軸、３１，１３１，２３１，３３１，４３１，５３１…頂辺、３２，１３２，２３２，３３２，５３２…底辺、３３，１３３，２３３，３３３，５３３…第一側辺、３４，１３４，２３４，３３４，４３４，５３４…第二側辺、３５，３６…蝶番部品、３７…蝶番ピン、４０…平行壁、４１…平行壁長、４２…スクリーン板厚。
【図１】
0004190121.tif 000002
【図２】
0004190121.tif 000003
【図３】
0004190121.tif 000004
【図４】
0004190121.tif 000005
【図５】
0004190121.tif 000006
【図６】
0004190121.tif 000007
【図７】
0004190121.tif 000008
【図８】
0004190121.tif 000009
【図９】
0004190121.tif 000010
【図１０】
0004190121.tif 000011
【図１１】
0004190121.tif 000012
【図１２】
0004190121.tif 000013
【図１３】
0004190121.tif 000014
【図１４】
0004190121.tif 000015
【図１５】
0004190121.tif 000016
【図１６】
0004190121.tif 000017